(57)【特許請求の範囲】
【請求項１】
固定筒と、
前記固定筒の内側に設けられ、光軸方向に移動可能な第１のレンズ枠と、
前記固定筒の内側に設けられ、光軸方向に移動可能な第２のレンズ枠と、
前記固定筒に対して回動可能に設けられ、前記第１のレンズ枠を駆動するためのカムが設けられた第１のリングと、
前記第１のリングよりも被写体側に配され、前記固定筒に対して回動可能に設けられ、前記第２のレンズ枠を駆動するためのカムが設けられた第２のリングと、
前記第１のリングと一体に形成され、前記第２のリングの外周を覆う延在部と、
前記延在部に挿通されたロック部材と、を備え、
前記ロック部材は、筒状の胴部と、前記胴部に挿通され、該胴部に対して付勢力を伴って進退するピンと、前記胴部の外周面に支持された環とを含み、
前記ロック部材を挿入した第１の固定位置では、前記ピンの先端が前記固定筒の外周面に当接することによって前記第１のリングの位置の変動が規制され、
前記ロック部材を前記第１の固定位置より更に挿入した第２の固定位置では、前記環が前記第２のリングの外周面に当接することによって前記第２のリングの位置の変動が規制される監視用レンズ装置。
【請求項２】
請求項１に記載の監視用レンズ装置であって、
前記環は、前記胴部の前記外周面に形成された溝に支持され、該溝内の範囲で前記ロック部材を挿入する方向に移動可能であり、前記第２の固定位置に前記ロック部材がある状態で前記溝の段差に当接することによって前記第２のリングの前記外周面を押圧する監視用レンズ装置。
【請求項３】
請求項１又は２に記載の監視用レンズ装置であって、
前記ロック部材は、前記第２の固定位置に存在する状態で、前記胴部の挿入方向の先端部が前記固定筒の前記外周面を押圧する監視用レンズ装置。
【請求項４】
請求項１から３のいずれか１項に記載の監視用レンズ装置と、
前記監視用レンズ装置を覆う透明なケース部材と、
前記ケース部材と前記監視用レンズ装置との間に設けられ、前記監視用レンズ装置の被写体側の先端部を露呈する開口が形成されたカバー部材と、を備える監視カメラ。
【発明の詳細な説明】
【技術分野】
【０００１】
本発明は、監視用レンズ装置及び監視カメラに関する。
【背景技術】
【０００２】
近年、公共機施設や商業施設や住居において、監視カメラが広く用いられている。監視カメラとしては、ドーム型の小型の監視カメラの需要が高くなっている。このような監視カメラとしては、特許文献１に示すものがある。
【０００３】
監視カメラの構成としては、一例として、透明のケース部材と、該透明なケース部材の内部に配置される監視用レンズ装置とを備える。監視用レンズ装置は、フォーカス位置を調整するためのフォーカスリングと、焦点距離を調整するためのズームリングとが設けられている。フォーカスリング、ズームリングは、監視用レンズ装置が備えるフォーカスレンズ（群）、ズームレンズ（群）の位置に対応して設けられており、監視用レンズ装置にそれぞれ設けられている。
【０００４】
フォーカスリング、及びズームリングには、ロックつまみがそれぞれ設けられている。ロックつまみは、フォーカスリング、ズームリングのそれぞれにネジ係合している。ロックつまみを締め込むと、ロックつまみフォーカスリング、ズームリングの回転位置が固定される。
【０００５】
監視カメラが店舗等の天井、壁面等に設置され，監視用レンズ装置の光軸の向きが所定の方向に設定されると、ケース部材を取り外した状態で、焦点距離、フォーカス位置の調整が行われる。この際、カバー部材は監視用レンズ装置と一体的に構成され、カバー部材の取り外しには煩雑な作業が必要となることから、焦点距離、フォーカス位置の調整は、作業者がカバー部材の開口から指先を挿入して、フォーカスリング、ズームリング、を手動で操作することにより行われる。そして、焦点距離、焦点位置が所望の状態に設定された後は、ロックつまみを締め込むことで、フォーカスリング、ズームリングが固定される。
【先行技術文献】
【特許文献】
【０００６】
【特許文献１】特開２００７−３１０２２８号公報
【発明の概要】
【発明が解決しようとする課題】
【０００７】
しかし、監視カメラは小型化されており，搭載される監視用レンズ装置もまた小型化されている。そして、小型の監視カメラでは、フォーカスリング、ズームリングの周辺に必要最小限のスペースしか確保することができない。このため、フォーカスリング、ズームリングの周辺に指先を挿入することが困難となり、フォーカス、及びズームの調整が煩雑であるという問題が生じている。
【０００８】
特に小型の監視カメラでは、カバー部材の開口は、監視用レンズ装置の径に応じた必要最小限の範囲で設けられている。このため、操作者は、狭い開口から内部に指先を挿入してフォーカスリング、ズームリングを操作する必要があり、非常に煩雑な作業が必要とされていた。また、ロックつまみを操作する際において、狭い開口から指先を挿入して操作をする必要があり、非常に煩雑な作業が要求されていた。
【０００９】
ここで、フォーカスとズームの調整は、順次に行われ、例えば、ズームリングのロックつまみを締め付けた後で、フォーカスリングのロックつまみを締め付ける。このときに、手指が締め付けたロックつまみに触れてしまうことによってズームリングのロックつまみによる固定が解除され、ズーム位置の設定がずれてしまう虞があった。
【００１０】
本発明は、上記事情に鑑みてなされたもので、その目的は、フォーカスとズームを順に調整する操作を行ない易い監視用レンズ装置及び監視カメラを提供することにある。
【課題を解決するための手段】
【００１１】
本発明の上記目的は、固定筒と、
前記固定筒の内側に設けられ、光軸方向に移動可能な第１のレンズ枠と、
前記固定筒の内側に設けられ、光軸方向に移動可能な第２のレンズ枠と、
前記固定筒に対して回動可能に設けられ、前記第１のレンズ枠を駆動するためのカムが設けられた第１のリングと、
前記第１のリングよりも被写体側に配され、前記固定筒に対して回動可能に設けられ、前記第２のレンズ枠を駆動するためのカムが設けられた第２のリングと、
前記第１のリングと一体に形成され、前記第２のリングの外周を覆う延在部と、
前記延在部に挿通されたロック部材と、を備え、
前記ロック部材は、筒状の胴部と、前記胴部に挿通され、該胴部に対して付勢力を伴って進退するピンと、前記胴部の外周面に支持された環とを含み、
前記ロック部材を挿入した第１の固定位置では、前記ピンの先端が前記固定筒の外周面に当接することによって前記第１のリングの位置の変動が規制され、
前記ロック部材を前記第１の固定位置より更に挿入した第２の固定位置では、前記環が前記第２のリングの外周面に当接することによって前記第２のリングの位置の変動が規制される監視用レンズ装置によって達成される。
【発明の効果】
【００１２】
本発明によれば、フォーカスとズームを順に調整する操作を行ない易い、監視用レンズ装置及び監視カメラを提供できる。
【図面の簡単な説明】
【００１３】
【図１】監視用レンズ装置と、その周辺の構成を概略的に示す図である。
【図２】図１の矢印方向にみた断面を部分的に示す図である。
【図３】監視用レンズ装置を備えた監視カメラを示す図である。
【図４】図１の監視用レンズ装置のロック部材の構成を説明する図である。
【図５】図１の監視用レンズ装置のロック部材によって、フォーカスリング及びズームリングを固定するときの手順を説明する図である。
【発明を実施するための形態】
【００１４】
以下、本発明の監視用レンズ装置及び監視カメラの実施の形態を説明する。
【００１５】
図１は、監視用レンズ装置と、その周辺の構成を概略的に示す図である。
【００１６】
監視用レンズ装置１０は、主として監視用のカメラに用いられるものである。図１に示すように、監視用レンズ装置１０は、フォーカスリング１２、ズームリング１４、及びロック部材２０を外周に備えている。
【００１７】
また、監視用レンズ装置１０には、赤外線フィルタを駆動するための駆動装置１８が設けられている。
【００１８】
図２は、図１の矢印方向にみた断面を部分的に示す図である。図２に示すように、監視用レンズ装置１０は固定筒１６を備えている。固定筒１６の内部には、レンズ枠３２、及びレンズ枠４４が配置されている。
【００１９】
固定筒１６の外側には、フォーカスリング１２、ズームリング１４が配置されている。
【００２０】
レンズ枠３２は、固定筒１６内の被写体側（前側）に配置されている。レンズ枠３２は、円環形状を有する枠であって、その枠の内周でフォーカスレンズ（群）３１を保持する。レンズ枠３２には、その周面よりも突出する図示しない係合ピンが装着されている。一方，固定筒１６には、光軸方向に図示しない直進溝が形成されており、係合ピンが直進溝に係合することによって、レンズ枠３２及びフォーカスレンズ３１が、直進溝にガイドされて光軸方向に直進移動するように構成されている。
【００２１】
レンズ枠４２は、固定筒１６内においてレンズ枠３２よりも後側に配置されている。レンズ枠４２は、円環形状を有する枠であって、その枠の内周でズームレンズ（群）４１を保持する。レンズ枠４２には、その周面よりも突出する図示しない係合ピンが装着されている。一方、固定筒１６には、光軸方向に図示しない直進溝が形成されており、係合ピンが直進溝に係合することによって、レンズ枠４２及びズームレンズ４１が、直進溝にガイドされて光軸方向に直進移動するように構成されている。
【００２２】
フォーカスリング１２は、レンズ枠３２が配置される部位において、固定筒１６の外周面に回動可能に配置されている。フォーカスリング１２の内周面には，光軸に対して螺旋状に図示しないカム溝が形成されている。レンズ枠３２に装着された係合ピンは，フォーカスリング１２のカム溝に係合する。従って，フォーカスリング１２を回動操作すると、フォーカスリング１２のカム溝と固定筒１６の直進溝との交差位置が光軸方向に変位するとともに、その交差位置に従って係合ピン、レンズ枠３２，及びフォーカスレンズ３１が光軸方向に変位する。このように，フォーカスリング１２を回動操作することによって，フォーカスレンズ３１の設定位置を調整してピント調整を行うことができる。
【００２３】
ズームリング１４は、フォーカスリング１２よりも後側において、固定筒１６の外周面に回動可能に配置されている。また、ズームリング１４には、フォーカスリング１２側に延在部１５が一体に設けられている。延在部１５では、フォーカスリング１２の外周に覆い被さるようにズームリング１４の内径が拡大されている。
【００２４】
ズームリング１４の内周面には、光軸に対して螺旋状に図示しないカム溝が形成されている。レンズ枠４２に装着された係合ピンは、ズームリング１４のカム溝に係合する。従って、ズームリング１４を回動操作すると，ズームリング１４のカム溝と固定筒１６の上述の直進溝との交差位置が光軸方向に変位するとともに，その交差位置に従って係合ピン、レンズ枠４２、及びズームレンズ４１が光軸方向に変位する。このように，ズームリング１４を回動操作することによって、ズームレンズ４１の設定位置を調整して焦点距離（ズーム画角）を調整することができる。
【００２５】
なお、上述の構成では、固定筒１６に直進溝を設け，フォーカスリング１２，ズームリング１４に螺旋状のカム溝を設けた構成を採用しているが、固定筒１６に螺旋状のカム溝を設け、フォーカスリング１２又はズームリング１４に直線のカム溝を設けてもよい。また、固定筒１６とフォーカスリング１２又はズームリング１４の双方に螺旋状のカム溝を設けてもよい。
【００２６】
ズームリング１４の延在部１５がフォーカスリング１２を覆う部位では，ズームリング１４の内周面とフォーカスリング１２の外周面との間に所定の隙間が設けられている。監視用レンズ装置１０では、フォーカスリング１２がズームリング１４よりも被写体側に設けられているが、ズームレンズ４２がフォーカスレンズ３２よりも被写体側に位置している場合は，ズームリング１４がフォーカスリング１２よりも被写体側に位置するように構成してもよい。この場合，フォーカスリング１２に延在部を設け、延在部１５がズームリング１４を覆うように構成する。
【００２７】
ロック部材２０は、ズームリング１４の延在部１５の外周に突出するように設けられている。
【００２８】
フォーカスリング１２には，ロック部材２０の後述するピン２４の径よりも幅の広い開孔部１２ａが形成されている。ロック部材２０は、ピン２４の先端部が開孔部１２ａに挿入される。
【００２９】
開孔部１２ａは、フォーカスリング１２の円周方向に長孔形状で形成されている。開孔部１２ａは、フォーカスリング１２とズームリング１４が相対的に回転した際に、ロック部材２０のピン２４と開孔部１２ａとが干渉しないように所定の範囲で形成されている。
【００３０】
ロック部材２０を締め込むことによって、ズームリング１４の回転方向の位置が固定筒１６に対して固定され、又は、ズームリング１４及びフォーカスリング１２の両方の回転方向の位置が固定筒１６に対して固定される。
【００３１】
なお、図示しないが、固定筒１６の後端部には撮像素子ホルダが装着されている。撮像素子ホルダには、基板が装着されている。基板にはＣＣＤ（撮像素子）が実装されている。ＣＣＤの前側にはシール部材、ローパスフィルタ（ＯＬＰＦ）、ＩＲカットフィルタなどが配置されている。ＩＲカットフィルタは、赤外線をカットするフィルタと赤外線を透過するフィルタの２つを備えている。ＩＲカットフィルタが備える２つのフィルタの切り換えは、駆動装置１８の駆動によって行われる。
【００３２】
図３は、図１及び図２に示す監視用レンズ装置を備えた監視カメラを示す模式図である。監視カメラ１００は、略円盤状の基台１０２、透明のケース部材１０４、及びケース部材１０４の内部に設けられ、監視用レンズ装置１０を覆うカバー部材１０６を備えている。
【００３３】
カバー部材１０６は、監視用レンズ装置１０の先端部に対応した開口１０８を含む。監視用レンズ装置１０は基台１０２に対して、レンズの光軸の角度を変えることができる。また、監視用レンズ装置１０は、基台１０２の周方向に回転することができる。
【００３４】
監視用レンズ装置１０は、ズームリング１４の延在部１５とフォーカスリング１２とが重なり合う部分にロック部材２０が設けられている。そして、ロック部材２０は監視用レンズ装置１０の前側に１つのみ設けられている。監視カメラ１００は、カバー部材１０６の開口１０８から、監視用レンズ装置１０の先端部のロック部材２０が露呈している。従って、監視カメラ１００を小型化したときにカバー部材１０６の開口１０８が非常に小さい場合でも、開口１０８から指先を挿入して、ロック部材２０を操作することにより、フォーカスリング１２，ズームリング１４の回転方向の位置を固定する作業を容易に行うことができる。
【００３５】
次に、ロック部材の構成を説明する。
【００３６】
図４Ａは、図１の監視用レンズ装置のロック部材を示す斜視図であり、図４Ｂは、図４Ａのロック部材を分解した状態を示す斜視図である。
【００３７】
ロック部材２０は、筒状の胴部２１と、ピン２４と、コイルばね２６と、キャップ２３と、環２８とを含む。
【００３８】
胴部２１は、ロック部材２０の本体を構成する。胴部２１は、円筒形状を有し、胴部２１をロック部材２０の挿入方向に沿って貫通する孔２１ａが形成されている。胴部２１には、その挿入方向の先端側に反対側よりも径が小さくなるように形成された縮径部２２が形成されている。
【００３９】
縮径部２２の外周面には、ズームリング１４にねじ締めするためのねじ溝が形成されている。また、縮径部２２の外周面には、段差部２２ａが形成されている。段差部２２ａの表面には、縮径部２２の外周面の周方向に連なる突条部２２ｃが形成されている。突条部２２ｃは、環２８を係止させることにより保持し、環２８の移動を規制するものである。後述するようにロック部材２０を挿入方向に沿って移動させた場合に、外部から力が加えられることにより環２８が突条部２２ｃを乗り越えて移動する。
【００４０】
ピン２４は、略棒状の部材であり、胴部２１の孔２１ａに挿入される。ピン２４の外周面には、該外周面より突出した係止部２４ａが形成されている。係止部２４ａは、ピン２４を胴部２１の孔２１ａに挿通したときに、孔２１ａの内周面に設けられた段差と係合する。ピン２４は、孔２１ａ内で、ロック部材２０の挿入方向に、胴部２１に対して変位可能に支持されている。
【００４１】
コイルばね２６は、胴部２１の孔２１ａに挿入されたピン２４の係止部２４ａに一方の端部が当接し、他方の端部がキャップ２３に当接する。コイルばね２６は、ピン２４とともに胴部２１の孔２１に収容された状態で、所定の圧縮量で圧縮されており、ピン２４をロック部材２０の挿入方向にピン２４を付勢している。また、コイルばね２６は、ピン２４が胴部２１の孔２１内へ退避する際に、ピン２４によって圧縮されることにより、ピン２４に挿入方向の付勢力を加える。
【００４２】
キャップ２３は、筒部２１の孔２１ａにねじ嵌合される。キャップ２３は、孔２１ａに嵌合されることにより、孔２１ａ内に収容されたコイルばね２６を圧縮させる。
【００４３】
環２８は、環状の部材であって、その周方向の一部を間欠部２８ａにより間欠させてなる構成である。環２８は、たとえば、弾性を有するワッシャを用いる。環２８は、胴部２２の段差部２２ａに嵌め込まれる。環２８は、段差部２２ａ内の範囲において、ロック部材２０の挿入方向に移動可能である。
【００４４】
次に、ロック部材によって、フォーカスリング及びズームリングを固定するときの手順を説明する。
【００４５】
図５Ａから図５Ｄは、ロック部材によって、フォーカスリング及びズームリングを固定するときの手順を説明する図である。図５Ａから図５Ｄは、図２と同じ監視用レンズ装置１０の断面を示すものとする。
【００４６】
図５Ａは、フォーカスリング及びズームリングのいずれも固定していない状態を示す断面図である。図５Ａは、ロック部材このとき、ロック部材２０のピン２４の先端部２４ｂは、固定筒１６の外周面から離れている。また、胴部２１の先端部も固定筒１６の外周面から離れている。
【００４７】
また、フォーカスリング及びズームリングのいずれも固定していない状態では、環２８はフォーカスリング１２の外周面から離れている。
【００４８】
図５Ｂに示すように、ロック部材２０の胴部２１を回動させることで、ロック部材２０がズームリング１４の延在部１５の外周面側から内周面側に向かって進入する。
【００４９】
図５Ｃに示すように、ロック部材２０を延在部１５にある程度進入させると、ピン２４の先端部２４ｂが固定筒１６の外周面にと当接する。このとき、固定筒１６に対するズームリング１４の回転方向の位置が規制される。なお、ピン２４の先端部２４ｂと固定筒１６の外周面との当接のみであるため、ズームリング１４の回転方向の位置は仮固定されているにすぎない。
【００５０】
また、図５Ｃに示す状態では、環２８がフォーカスリング１２の外周面に触れているのみであるよって、フォーカスリング１２は、ロック部材２０から押さえつける力を受けておらずフリーな状態であり、固定筒１６に対して回転方向の位置を変更可能である。
【００５１】
図５Ｃに示すように、ロック部材２０がズームリング１４のみを固定し、フォーカスリング１２の回転方向の位置を変更可能とする固定位置を、ロック部材２０の第１の固定位置とする。
【００５２】
図５Ｄは、胴部２１を締め付けることによって、ロック部材２０を第１の固定位置より更に延在部１５に挿入させた状態を示している。このとき、ピン２４の先端部２４ｂと、胴部２１の挿入方向の先端部（図５Ｄにおいて、縮径部２２の下端部）がいずれも固定筒１６の外周面に当接している。このため、固定筒１６に対するズームリング１４の回転方向の位置が、図５Ｃに示す第１の固定位置の状態と比べて、より強固に締め付けられることによって固定されている。
【００５３】
また、環２８は、胴部２１の段差部２２ａによってフォーカスリング１２の外周面に押し付けられている。このため、ズームリング１２は、環２８を介してロック部材２０によって固定筒１６の外周面側に押し付けられ、その回転方向の位置が固定される。
【００５４】
図５Ｄに示すように、ロック部材２０がフォーカスリング１２及びズームリング１４の両方を固定する固定位置を、ロック部材２０の第２の固定位置とする。
【００５５】
上述のように、ロック部材２０は、ズームリング１４の延在部１５に対して挿入される量に応じて、第１の固定位置と第２の固定位置とに調整される。
【００５６】
作業者は、先ず、ズームリング１４によってズーム位置を調整した後、ロック部材２０を第１の固定位置に操作することで、ズームリングの位置のみを仮に固定することができる。そして、フォーカスリング１２によってフォーカス位置を調整した後、同じロック部材２０を第２の固定位置に操作することで、フォーカスリングの位置のみを仮に固定することができる。フォーカスリング１２を調整している際に、仮に固定されている状態のズームリング１４を回転させてズーム位置を調整することもできる。よって、監視用レンズ装置１０及びこれを備えた監視カメラ１００においては、作業者がフォーカスとズームを順に調整する操作を行ない易い。
【００５７】
また、作業者は１つのロック部材２０を操作することで、フォーカスリング１２とズームリング１４の両方を固定することができ、他のロック部材を操作する必要がない。このためフォーカスリング１２とズームリング１４の固定の操作が容易である。また、監視用レンズ装置１０及び監視カメラ１００の部品点数を削減できる。
【００５８】
更に、監視カメラ１００が小型であり、監視用レンズ装置１０の近傍に充分なスペースが確保できない場合においても、フォーカスリング１２及びズームリング１４の操作や、ロック部材２０による両者のリングの回転方向の位置の固定を容易に行うことが可能となる。従って，監視カメラ１００を天井，壁面等に装着した後においても，ケース部材１０４を外すのみで、フォーカス、ズームの調整を容易に行うことが可能となる。
【００５９】
本明細書は、次の事項を開示するものである。
（１）固定筒と、
前記固定筒の内側に設けられ、光軸方向に移動可能な第１のレンズ枠と、
前記固定筒の内側に設けられ、光軸方向に移動可能な第２のレンズ枠と、
前記固定筒に対して回動可能に設けられ、前記第１のレンズ枠を駆動するためのカムが設けられた第１のリングと、
前記第１のリングよりも被写体側に配され、前記固定筒に対して回動可能に設けられ、前記第２のレンズ枠を駆動するためのカムが設けられた第２のリングと、
前記第１のリングと一体に形成され、前記第２のリングの外周を覆う延在部と、
前記延在部に挿通されたロック部材と、を備え、
前記ロック部材は、筒状の胴部と、前記胴部に挿通され、該胴部に対して付勢力を伴って進退するピンと、前記胴部の外周面に支持された環とを含み、
前記ロック部材を挿入した第１の固定位置では、前記ピンの先端が前記固定筒の外周面に当接することによって前記第１のリングの位置の変動が規制され、
前記ロック部材を前記第１の固定位置より更に挿入した第２の固定位置では、前記環が前記第２のリングの外周面に当接することによって前記第２のリングの位置の変動が規制される監視用レンズ装置。
（２）（１）に記載の監視用レンズ装置であって、
前記環は、前記胴部の前記外周面に形成された溝に支持され、該溝内の範囲で前記ロック部材を挿入する方向に移動可能であり、前記第２の固定位置に前記ロック部材がある状態で前記溝の段差に当接することによって前記第２のリングの前記外周面を押圧する監視用レンズ装置。
（３）（１）又は（２）に記載の監視用レンズ装置であって、
前記ロック部材は、前記第２の固定位置に存在する状態で、前記胴部の挿入方向の先端部が前記固定筒の前記外周面を押圧する監視用レンズ装置。
（４）（１）から（３）のいずれか１つに記載の監視用レンズ装置と、
前記監視用レンズ装置を覆う透明なケース部材と、
前記ケース部材と前記監視用レンズ装置との間に設けられ、前記監視用レンズ装置の被写体側の先端部を露呈する開口が形成されたカバー部材と、を備える監視カメラ。
【符号の説明】
【００６０】
１０    監視用レンズ装置
１２    フォーカスリング
１４    ズームリング
１５    延在部
１６    固定筒
２０    ロック部材
２１    胴部
２４    ピン
２８    環
【図１】
0005659057.tif 000002
【図２】
0005659057.tif 000003
【図３】
0005659057.tif 000004
【図４】
0005659057.tif 000005
【図５】
0005659057.tif 000006